【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
原子炉を動作させるための制御メカニズムを表す原子炉用ロッドパターンデザインであって、沸騰水型炉心についてはノッチ位置と制御ブレードの順序に関するデザインを、加圧水型炉心については制御ロッドのグループ順序のデザインを開発する方法において、
試験制御ロッドパターンデザインに適用可能である限界のセットを定義する過程と、
限界に基づいて、試験ロッドパターンデザインの１つ以上のサブセットを位置決めするためのシーケンス戦略を確定する過程と、
試験ロッドパターンデザインの少なくとも１つのサブセットに対して原子炉動作をシミュレートして、複数のシミュレーション結果を生成する過程と、
シミュレーション結果を限界と比較する過程と、
シミュレーション中に試験ロッドパターンデザインにより違反された限界を示すデータを提供する過程とから成る方法。
【請求項２】
試験ロッドパターンデザイン、限界、シミュレーション結果及び比較からのデータに関連する情報を格納することと、
試験ロッドパターンデザインを修正して、派生ロッドパターンデザインを作成することと、
シミュレーション中に派生ロッドパターンデザインにより違反された限界を示すデータを解明するために、シミュレートする過程、比較する過程及び提供する過程を繰り返すことと、
沸騰水型原子炉、加圧水型原子炉、ガス冷却炉及び重水炉より成る群から１種類の原子炉を選択することとを更に含む請求項１記載の方法。
【請求項３】
定義する過程は、
シミュレートする過程を実行するために入力されるべき変数に適用可能である入力限界を定義することと、
シミュレーション結果に適用可能である結果限界を定義することとを更に含み、
入力限界及び結果限界は比較する過程において評価され、
入力限界はクライアントが入力するプラント特有制約及び炉心性能基準に関連し、
結果限界は原子炉動作に使用される動作パラメータ限界、炉心安全度限界、それらの動作限界及び安全度限界のマージン、並びにクライアントが入力するプラント特有制約のうちの少なくとも１つの関連している請求項１記載の方法。
【請求項４】
比較する過程は、
シミュレーション結果を評価するために目標関数を構成することと、
目標関数を使用してシミュレーション結果ごとに目標関数値を生成することと、
どのシミュレーション結果が限界に違反するかを判定するために、定義された限界のセットに基づいて目標関数値を評価することとを更に含む請求項１記載の方法。
【請求項５】
提供する過程は、比較する過程が全ての限界は満足されたこと、又は受け入れ可能なマージンの中で満足されたことを示す場合に、受け入れ可能ロッドパターンデザインに関連するデータを提供することを更に含む請求項１記載の方法。
【請求項６】
派生ロッドパターンデザインのＮ回の反復を展開するために、修正する過程、シミュレートする過程、比較する過程及び提供する過程を繰り返し反復することと、
Ｎ回の反復のうちの選択された反復に関して、ロッドパターンデザイン、限界、シミュレーション結果及び比較からのデータに関連する情報を格納することとを更に含み、
繰り返し反復する過程は、特定の反復回における比較において、全ての限界が満足されたこと、又は受け入れ可能なマージンの中で満足されたことが示されるまで実行され、方法は、
原子炉の受け入れ可能ロッドパターンデザインに関連するデータを出力することを更に含む請求項２記載の方法。
【請求項７】
原子炉を動作させるための制御メカニズムを表す原子炉用ロッドパターンデザインであって、沸騰水型炉心についてはノッチ位置と制御ブレードの順序に関するデザインを、加圧水型炉心については制御ロッドのグループ順序のデザインを開発する装置（１０００）において、
試験ロッドパターンデザインを格納するメモリ（２５０）と、
試験ロッドパターンデザインに適用可能な限界のセットを受信し、限界に基づいてロッドパターンデザインのサブセットを位置決めするためのシーケンス戦略を確定することを可能にするインタフェース（２３０）と、
ロッドパターンデザインの少なくとも１つのサブセットに対してシミュレーション原子炉動作を実行して、複数のシミュレーション結果を生成するシミュレータと、
シミュレーション結果を限界と比較するプロセッサ（４００）とを具備し、
前記インタフェース（２３０）は、シミュレーション中に試験ロッドパターンデザインにより違反された限界を示すデータを提供する装置（１０００）。
【請求項８】
試験ロッドパターンデザインによる１つ以上の限界の違反を示すデータに応答して、
前記インタフェース（２３０）は、試験ロッドパターンデザインを修正して派生ロッドパターンデザインを作成する指令を受信し、
前記シミュレータは派生ロッドパターンデザインに対してシミュレーションを反復し、
前記プロセッサ（４００）は、シミュレーション結果を限界と比較し、
前記インタフェース（２３０）は、シミュレーション中に派生ロッドパターンデザインにより違反された限界を示すデータを提供する請求項７記載の装置（１０００）。
【請求項９】
１つ以上の限界の違反を示すＮ番目ごとの派生ロッドパターンデザインに関するデータに応答して、
前記インタフェース（２３０）、前記シミュレータ及び前記プロセッサ（４００）は、ロッドパターンデザイン修正機能、シミュレーション機能、比較機能及びデータ提供機能のＮ回の反復を実行し、Ｎ回の反復のうちの選択された反復について、
前記メモリ（２５０）は、ロッドパターンデザイン、限界、シミュレーション結果及び比較からのデータに関連する情報を格納する請求項８記載の装置（１０００）。
【請求項１０】
前記インタフェース（２３０）、前記シミュレータ及び前記プロセッサ（４００）は、前記プロセッサ（４００）が、特定の反復回において、全ての限界が満足されたこと、又は受け入れ可能なマージンの中で満足されたことを判定するまで、前記Ｎ回の反復を実行し、
前記インタフェース（２３０）は、前記原子炉の受け入れ可能ロッドパターンデザインに関連するデータを出力し、
受け入れ可能ロッドパターンデザインは制御ブレード構成及び制御棒構成のうちの一方として具現化される請求項９記載の装置（１０００）。
【手続補正２】
【補正対象書類名】明細書
【補正対象項目名】０００６
【補正方法】変更
【補正の内容】
【０００６】
原子力規制委員会（ＮＲＣ）が認可した炉心シミュレーションプログラムは得られた入力ファイルを読み取り、シミュレーションの結果をテキスト又は２進ファイルへ出力する。そこで、設計担当者はシミュレーション出力を評価して、設計基準に適合しているか否かを判定すると共に、熱限界のマージンの違反が起こったことを検証する。設計基準に適合できない場合（すなわち、１つ以上の限界に違反している場合）には、設計担当者が手作業で入力ファイルを修正する必要がある。特に、設計担当者は１つ以上の動作パラメータを手作業で変更し、炉心シミュレーションプログラムを再度実行することになるであろう。このプロセスは、申し分ないロッドパターンデザインが実現されるまで繰り返された。
【特許文献１】米国特許第６４０４４３７号
【特許文献２】米国特許第５９２３７１７号
【特許文献３】米国特許第６０７５５２９号
【特許文献４】米国特許第６３８１５６４号
【特許文献５】米国特許第５７９０６１６号
【非特許文献１】Zhian Liその他  “AUTOLOAD, An Automated Optimal Pressurized Water Reactor Reload design with an Expert Module” NUCLEAR SCIENCE AND ENGINNERING 118, 1994, 67-78頁
【非特許文献２】Han Gon Kimその他  “Optimal Fuel Loading Pattern Design Using Artificial Neural Network and a Fuzzy Rule-based System”, NUCLEAR SCIENCE AND ENGINNERING 115, 1993, 152-163頁
【非特許文献３】Lian Shin Linその他  “A RULE-BASED EXPERT SYSTEM FOR AUTOMATIC CONTROL ROD PATTERN GENERATION FOR BOLING WATER REACTORS”, Nuclear Technology Vol. 95, July 1991, 1-8頁